【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
プロセス制御システム内でフィールドデバイスとやりとりする携帯型フィールド保守ツールであり、
携帯型フィールド保守ツールをプロセス制御資産管理システムにプロセス制御資産管理システムの無線通信チャネルを介して通信可能なように接続し、ここでプロセス制御資産管理システムはフィールドデバイスにデジタル処理通信チャネルを介して通信可能なように接続され、そして携帯型フィールド保守ツールとプロセス制御資産管理システムはそれぞれ、プロセス制御資産管理システムの通信プロトコルの上層のフィールドデバイスの通信プロトコルのフレームワークを持ち、そしてネットワーク通信プロトコルはプロセス制御資産管理システムの上に層をなすような接続と、
プロセス制御資産管理システムの資産管理システムアプリケーションで携帯型フィールド保守ツール上のクライアントアプリケーションを仲介し、ここで資産管理システムアプリケーションは、デジタル処理通信チャネルを介したフィールドデバイスとの通信に適用されるような仲介と、
クライアントアプリケーションに、フィールドデバイスによる、プロセス制御資産管理システムとデジタル処理通信チャネルを介した読み取り及び／または読み書きのアクセスを提供するようにクライアントアプリケーションをフィールドデバイスに通信可能なように接続し、ここでクライアントアプリケーションチャネルからのフィールドデバイスへの通信は携帯型フィールド保守ツールによってフィールドデバイスの通信プロトコルで生成され、フィールドデバイスの識別子とフィールドデバイスの通信プロトコルをヘッダに含むプロセス制御資産管理システムのプロトコルにラップされるような接続と、を含む、方法。
【請求項２】
携帯型フィールド保守ツールによる、クライアントアプリケーションを介したフィールドデバイスの選択の有効化と、
携帯型フィールド保守ツールによる、携帯型フィールド保守ツールの、プロセス制御資産管理システムへ登録済みとしての検証、そして携帯型フィールド保守ツールのユーザが前記選択されたフィールドデバイスへアクセス可能としての検証と、
携帯型フィールド保守ツールによる、無線通信チャネルを介したプロセス制御資産管理システム内の携帯型フィールド保守ツール通信サーバへの接続要求の初期化であり、ここで接続要求は携帯型フィールド保守ツールとフィールドデバイス間の、資産管理システムアプリケーションとデジタル通信システムを介した接続のためであるような初期化、をさらに含む、請求項１に記載の方法。
【請求項３】
前記携帯型フィールド保守ツール上の前記クライアントアプリケーションを前記プロセス制御資産管理システムの前記資産管理システムアプリケーションと仲介することは、前記クライアントアプリケーションを前記プロセス制御資産管理システム内の資産管理システムアプリケーションの携帯型フィールド保守ツールダイナミック共有ライブラリと前記無線通信チャネルを介して仲介することを備え、
前記クライアントアプリケーションへの、前記フィールドデバイスへ通信可能な接続は、前記携帯型フィールド保守ツールダイナミック共有ライブラリによる前記クライアントアプリケーションへの前記フィールドデバイスへの通信可能な接続を備える、請求項１又は請求項２に記載の方法。
【請求項４】
前記携帯フィールド保守ツールによる前記無線通信チャネルへの通信可能な接続が、
前記プロセス制御資産管理システム上の携帯用保守ツール通信サーバによる前記接続要求が、前記携帯型フィールド保守ツールと前記フィールドデバイスの間の前記資産管理システムアプリケーションと前記デジタル通信システムを介した接続のためのものである、携帯型フィールド保守ツールによる前記無線通信チャネルを介した接続要求の受信と、
前記携帯型フィールド保守ツールダイナミック共有ライブラリは前記携帯型フィールド保守ツールが前記フィールドデバイスに接続するための機器通信インターフェースを提供するような、携帯型フィールド保守ツール通信サーバから前記プロセス制御資産管理システム上の携帯型フィールド保守ツールダイナミック共有ライブラリへの、前記接続要求の受け渡しと、
前記携帯型フィールド保守ツールによる、前記携帯型フィールド保守ツールダイナミック共有ライブラリの、前記プロセス制御資産管理システムへ登録済みとしての検証、そして携帯型フィールド保守ツールのユーザが前記フィールドデバイスへアクセス可能としての検証と、
前記携帯型フィールド保守ツールダイナミック共有ライブラリによる、前記携帯型フィールド保守ツール通信サーバへの、前記接続要求への応答の返却と、
前記携帯型フィールド保守ツール通信サーバによる、前記携帯型フィールド保守ツールへの、無線通信チャネルを介した、前記接続要求への応答の返却、を備える、請求項１乃至請求項３のいずれか１項に記載の方法。
【請求項５】
前記フィールドデバイスの携帯型フィールド保守ツールを用い、前記デジタル処理通信チャネルを介した構成をさらに含む、請求項１乃至請求項４のいずれか１項に記載の方法。
【請求項６】
前記フィールドデバイスを、前記携帯型フィールド保守ツールを用いて前記デジタル処理通信チャネルを介して診断することをさらに含む、請求項１乃至請求項５のいずれか１項に記載の方法。
【請求項７】
前記フィールドデバイスを、前記携帯型フィールド保守ツールを用いて前記デジタル処理通信チャネルを介してキャリブレーションすることをさらに含む、請求項１乃至請求項６のいずれか１項に記載の方法。
【請求項８】
前記フィールドデバイスを、前記携帯型フィールド保守ツールを用いて前記デジタル処理通信チャネルを介して稼働開始することをさらに含む、請求項１乃至請求項７のいずれか１項に記載の方法。
【請求項９】
携帯型フィールド保守ツールと、プロセス制御システム内のフィールドデバイスを用いてやりとりするためのシステムであって、前記システムは
携帯型フィールド保守ツールと無線通信チャネルを介して通信可能なように接続できるように適用された、前記携帯型フィールド保守ツール通信サーバと、
前記フィールドデバイスにデジタル処理通信チャネルを介して通信可能なように接続されたプロセス制御資産管理サーバと、
分散制御計装インターフェースを持ち、ＲＡＷコマンドを前記携帯型フィールド保守ツールから前記携帯型フィールド保守ツール通信サーバを介して受信し、プロセス制御資産管理サーバを介して前記フィールドデバイスへの前記ＲＡＷコマンドのラップを行う機器通信インターフェースコマンドを発行し、前記フィールドデバイスからの応答を前記プロセス制御資産管理システムサーバを介して受信し、前記携帯型フィールド保守ツール通信サーバを介して前記携帯型フィールド保守ツールへの前記応答を発行するように適用された、携帯型フィールド保守ツールダイナミック共有ライブラリを含む、システム。
【請求項１０】
前記携帯型フィールド保守ツール通信サーバが、
前記無線通信チャネルを介して、前記携帯型フィールド保守ツールからの、前記携帯型フィールド保守ツールとフィールドデバイスの間の前記デジタル通信システムを介した接続のための接続要求を受信し、
前記接続要求を携帯型フィールド保守ツールダイナミック共有ライブラリに受け渡す、ように適合されている、請求項９に記載のシステム。
【請求項１１】
携帯型フィールド保守ツールダイナミック共有ライブラリが、
前記携帯型フィールド保守ツールが前記プロセス制御資産管理システムに登録されているかを検証し、
前記携帯型フィールド保守ツールのユーザが前記フィールドデバイスにアクセスすることを認可されていることを検証し、
前記接続要求の結果を前記携帯型フィールド保守ツール通信サーバに返す、ように適合されている、請求項９又は請求項１０に記載のシステム。
【請求項１２】
前記携帯型フィールド保守ツール通信サーバが、
前記携帯型フィールド保守ツール上のクライアントアプリケーションによって発行されたＲＡＷコマンドを受信し、
ＲＡＷコマンドを携帯型フィールド保守ツールダイナミック共有ライブラリに受け渡すよう適合されている、請求項９乃至請求項１１のいずれか１項に記載のシステム。
【請求項１３】
前記携帯型フィールド保守ツールダイナミック共有ライブラリがデジタルリンクライブラリを備える、請求項９乃至請求項１１のいずれか１項に記載のシステム。
【請求項１４】
前記携帯型フィールド保守ツールと前記プロセス制御資産管理システムはそれぞれ、前記プロセス制御資産管理システムの通信プロトコルの上層に位置した前記フィールドデバイスの通信プロトコルのフレームワークと、ネットワーク通信プロトコルの上層に位置した前記プロセス制御資産管理システムの前記プロトコルを有し、
前記携帯型フィールド保守ツールからの前記フィールドデバイスへの通信は、前記フィールドデバイスの前記通信プロトコルで前記携帯型フィールド保守ツールによって生成され、前記フィールドデバイスの前記識別子と前記フィールドデバイスの前記通信プロトコルを含むヘッダを持つ前記プロセス制御資産管理システムの前記通信プロトコルでラップされる、請求項９乃至請求項１２のいずれか１項に記載のシステム。
【請求項１５】
前記携帯型フィールド保守ツール通信サーバは、前記携帯型フィールド保守ツールと前記フィールドデバイスの間の前記デジタル通信システムを介した接続のために、携帯型フィールド保守ツールからの接続要求を、前記無線通信チャネルを介して受信するように適合されている、請求項９乃至請求項１４のいずれか１項に記載のシステム。
【請求項１６】
筐体と、
前記筐体の中に配置される無線通信インターフェースであって、前記通信インターフェースはプロセス制御資産管理システムの無線通信チャネルと通信可能なように接続するよう適合され、前記無線通信チャネルは前記プロセス制御資産管理システムへ送信した、またはそれから送信された、エンコードされた通信信号を運搬するよう構成され、前記プロセス制御資産管理システムはフィールドデバイスにデジタル処理通信チャネルを介して通信可能なように接続されたインターフェースと、
前記筐体の中に配置され、前記無線通信インターフェースに電気的に接続された通信回路であって、前記通信回路は前記通信信号を前記無線通信チャネルのためにエンコードするよう適合された通信回路と、
前記携帯型フィールド保守ツール上で実行されたクライアントアプリケーションからのメッセージの、前記フィールドデバイスの前記通信プロトコルへのエンコードと、
前記エンコードされたメッセージを前記プロセス制御資産管理システムの通信プロトコルにラップし、前記ラップされエンコードされたメッセージは前記フィールドデバイスの前記識別子そして前記フィールドデバイスの前記通信プロトコルを含むヘッダを持つようなラッピングと、
前記無線通信チャネルの通信プロトコル内の前記ラップされエンコードされた前記メッセージのエンコード、とを含む、携帯型フィールド保守ツール。
【請求項１７】
前記通信回路は本質的安全動作に適合されている、請求項１６に記載の携帯型フィールド保守ツール。
【請求項１８】
プロセッサと、
前記プロセッサに操作可能なように接続されたメモリと、
前記メモリに格納され前記プロセッサによって実行されるよう適合されたユーザインターフェースと、をさらに含み、
前記クライアントアプリケーションは前記メモリに格納され、前記プロセッサにより実行された時は、前記メッセージを生成するよう適合された、請求項１６又は請求項１７に記載の前記携帯型フィールド保守ツール。